(57)【要約】【課題】設置及び保守が容易であると共に、装置の稼動に関して入浴者の負担をより少なく、かつ上半身の温度低下を効率良く防止できる半身浴用シャワー装置を提供する。【解決手段】浴槽に貯留した湯水を移送するポンプ装置２と、該ポンプ装置の出水側に接続連通させた所定長さの給水管４と、から成り、給水管は入浴者の首周りを周回可能な程度の可撓性をもって構成すると共に、その管側壁には多数個の貫通した漏水口を配設する。また、給水管の側周面には多数個の突起４４を配設し、マイナスイオン発生手段３をポンプ装置の取水部２１に配設する。この突起の代わりに給水管に硬質材から成るコイルを環装するようにしても良い。他にも、給水管の略全長に渡って布体６を懸架するように配設しても良い。【選択図】      図１
0003110603.tif 000002
【実用新案登録請求の範囲】
【請求項１】
浴槽に貯留させた湯水を移送するポンプ装置（２）と、
該ポンプ装置（２）の出水側に接続連通させた所定長さの給水管（４）と、から成り、
該給水管（４）は人の首周りを周回可能な程度の可撓性をもって構成すると共に、その管側壁（４１）には多数個の貫通した漏水口（４３）を配設して成ることを特徴とする半身浴用シャワー装置。
【請求項２】
給水管（４）の両端側から所定長さの区間に配設する漏水口（４３）の開口断面積を、給水管（４）の前記以外に配設する漏水口（４３）の開口断面積より小さくしたことを特徴とする請求項１記載の半身浴用シャワー装置。
【請求項３】
給水管（４）の側周面に多数個の突起（４４）を配設したことを特徴とする請求項１、又は２記載の半身浴用シャワー装置。
【請求項４】
給水管（４）に硬質材から成るコイル（５）を還装したことを特徴とする請求項１、又は２記載の半身浴用シャワー装置。
【請求項５】
給水管（４）の略全長に渡って布体（６）を懸架するように配設したことを特徴とする請求項１、２、３又は４記載の半身浴用シャワー装置。
【請求項６】
給水管（４）の先端口を閉塞させたことを特徴とする請求項１、２、３、４又は５記載の半身浴用シャワー装置。
【請求項７】
マイナスイオン発生手段（３）をポンプ装置（２）の取水部（２１）に配設したことを特徴とする請求項１、２、３、４、５又は６記載の半身浴用シャワー装置。
【考案の詳細な説明】
【技術分野】
【０００１】
本願考案は、シャワー装置に関し、特に、簡易に設置又は移設可能なものであって、ポンプ装置等で汲み上げた浴槽水を入浴者の上半身等に散布する半身浴用シャワー装置に関する。
【背景技術】
【０００２】
入浴時における水圧は、入浴者の心肺機能にある程度の負担を及ぼし、健常者ですら疲労感を感じる時がある。このため、高齢者、心肺や高血圧症を患っている者（以下、「高齢者等」と称する。）にとっては、従来の入浴方法（顔以外の全身、つまり肩までお湯に浸かる）では水圧による心肺機能への負担は結構なものであり、疲労を感じるばかりか、体調を崩す要因となる恐れもあった。
【０００３】
そこで、最近では、上記のような心肺機能への負担を軽減すべく下半身のみを温めお湯に長時間に渡って浸かる、いわゆる「半身浴」が注目されている。この半身浴は、通常の入浴に比べて心肺機能への負担も少なく、更には疲労回復効果、痩身効果も高いため、上記のような高齢者等ばかりでなく、健常者にも注目され実践されている。
【０００４】
この半身浴は、上半身をお湯から露出させた状態を維持するため、例えば、浴室温度が低い冬場は上半身の体温が低下する事態を招いていた。そのため、上半身に適宜の間隔で掛け湯を行ったり、備え付けのシャワーを適宜の間隔で浴びたり、暖房設備がある浴室では暖房装置を稼動させたりして、体温を調整する必要があった。
【０００５】
かかる体温調整の手段としては、特許文献１に開示されている半身浴シャワー装置がある。この半身浴シャワー装置は、浴槽に付随して一体に構成すると共に、浴槽の湯水を循環させて噴出するシャワー装置であって、湯水の噴出を幅広の膜状に形成して使用者の肩付近から背中、胴、腹部に幅広く伝わる構成としている。
【０００６】
他にも、特許文献２には、可撓性の管を管状に形成して単数の噴出口を形成し、管の下端にワンウェイバルブと手動ポンプを配設した半身浴シャワー具が開示されている。
【特許文献１】特開２００３−１５３９７５（第２−６頁、第１図）
【特許文献２】特開２００３−１２６２１１（第２−４頁、第１図、第９図）
【考案の開示】
【考案が解決しようとする課題】
【０００７】
しかしながら、特許文献１の半身浴シャワー装置は、浴槽と一体的な構造を成しているため、設置や保守等に経費が嵩む上、通常の入浴時には浴槽内に張り出しているノズル部が邪魔になる不具合が生じていた。
【０００８】
また、特許文献２の半身浴シャワー具は、持ち運びも装着も簡単であるが、シャワーを浴びるためには、入浴者が手動ポンプを稼動させなければならないため、健常者であればともかく、高齢者等にとっては却って負担が増える場合あり、問題があった。
【０００９】
そこで、本願考案は上記の問題点に鑑み為されたものであり、設置及び保守が容易であると共に、装置の稼動に関して入浴者の負担をより少なくし、かつ上半身の温度低下を効率良く防止できる半身浴用シャワー装置を提供する。
【課題を解決するための手段】
【００１０】
上記の課題を解決するため、本願考案の半身浴用シャワー装置（以下、「シャワー装置」と略称する。）は以下のように構成している。
すなわち、浴槽に貯留した湯水を移送するポンプ装置（２）と、該ポンプ装置（２）の出水側に接続連通させた所定長さの給水管（４）と、から成り、該給水管（４）は入浴者の首周りを周回可能な程度の可撓性をもって構成すると共に、その管側壁（４１）には多数個の貫通した漏水口（４３）を配設して成ることを特徴としている。なお、給水管（４）の先端口は閉塞している。この閉塞状態により、給水管（４）の内部での水圧低下が防止され、前記漏水口（４３）から湯水が滞りなく散布される。この給水管（４）の先端口は閉塞する代わりにいわゆる絞り状態にしても良い。前記ポンプ装置（２）は、例えば、市販のいわゆる給油ポンプを採用しても良い。
【００１１】
また、給水管（４）の両端側から所定長さの区間に配設した漏水口（４３）は、その開口断面積を給水管（４）の前記以外に配設した漏水口（４３）の開口断面積より小さくしたことを特徴としている。この漏水口（４３）の構成により、給水管（４）を入浴者の首周りに周回させると、肩から背中にかけて大きい漏水口（４３）の配設部分が位置することとなり、より多くの湯水が当該部分に散布されることになる。
【００１２】
さらに、給水管（４）の側周面には多数個の突起（４４）を配設したことを特徴としている。この突起により給水管（４）の側周面と入浴者の肩等とは直接触れることなく間隙が生じ、漏水口（４３）が入浴者の肌により塞がれることなくなり、すべての漏水口（４３）から湯水が散布されることになる。なお、この突起の代わりに給水管（４）に硬質材から成るコイル（５）を環装するようにしても良い。
【００１３】
さらにまた、給水管（４）の略全長に渡って布体（６）を懸架するように配設しても良い。この布体（６）は、例えば、タオル、バスタオル等であり、給水管（４）を入浴者の首周りに周回すると、入浴者の胸、肩、背中の大部分がこのタオルで覆われることになる。
【００１４】
加えて、マイナスイオン発生手段（３）をポンプ装置（２）の取水部（２１）に配設したことを特徴としている。このマイナスイオン発生手段（３）は、例えば、取水部（２１）にその周囲を囲うと共に多数の取水孔（３１ａ）を形成した容器（３１）を配置し、容器内にセラミックチップ（３２）を収納して構成したものである。
【００１５】
なお、実用新案登録請求の範囲の書類と上記の課題を解決するための手段の欄で記載した括弧付き符号は、考案の構成の理解を容易にするため参考として図面符号を付記したもので、この図面上の形態に限定するものでないことはもちろんである。
【考案の効果】
【００１６】
本願考案のシャワー装置は上記のように構成しているため、既存の浴槽において、簡易にシャワー装置の設置が可能である。シャワー装置の使用においても、首周りに給水管を周回させ、ポンプ装置のスイッチを押すという労力のみで半身浴を可能とする簡便なものである。
【００１７】
また、給水管の中央部付近に配設する漏水口の大きさを他と比べて大きくしているため、入浴者の首周りに給水管を周回すると、特に肩から背中にかけて上記漏水口の配設部分が位置し、当該部分に他の部分と比べてより多量の湯水を浴びることが可能である。
【００１８】
給水管に配設した突起は、給水管の折れ曲がりを防止するだけでなく、漏水口の閉塞状態を防止するため、すべての漏水口から滞りなく湯水が散布され、入浴者の上半身の体温低下を効率良く防止することが可能である。
【００１９】
さらに、給水管にタオル等の布体を懸架すれば、タオルの保温効果に加えて浸透した湯水が体温低下防止の効果をさらに向上させることとなる。
【考案を実施するための最良の形態】
【００２０】
以下、本願考案について図面に基づき詳細に説明する。図１は本実施例のシャワー装置を示す側面図である。図２は図１のＡＡ断面図（Ａ）及び図１のＱ部の拡大図（Ｂ）であり、図３は本実施例のシャワー装置の使用状態を示す説明図である。
【実施例１】
【００２１】
シャワー装置１は、浴槽に貯留した湯水を移送するポンプ装置２、及び入浴者の首周りに周回すると共にポンプ装置２から移送された湯水を散布する給水管４と、から主に構成している。
【００２２】
ポンプ装置２は、縦長棒状を成し、乾電池を駆動源とするいわゆる防水型の給油ポンプと同等の構成を有するものであって、下端側の取水部２１から湯水を取水すると共に、湯水を蛇腹状で柔軟に構成した出水管２２を介して給水管４に移送する構成である。ポンプ装置２の上部側にはスイッチ２３を配設し、上端側にはフック２４を配設している。フック２４には、例えば、紐等を取り付けてポンプ装置自体を浴槽内において吊り下げ配置することを可能としている。
【００２３】
また、ポンプ装置２は取水部２１にマイナスイオン発生手段３を配設している。このマイナスイオン発生手段３は、ポンプ装置２の取水部２１を取り囲むように配置すると共に側面及び底面に多数の取水孔３１ａを形成した容器３１と、この容器内に収納したセラミックチップ３２とから構成している。このマイナスイオン発生手段３の構成により、ポンプ装置２が稼動し湯水を取水し始めると、容器内のセラミックチップ３２は水流によって攪拌され、マイナスイオンが発生する。
【００２４】
給水管４は、可撓性を有する素材、例えば、ビニール、ポリエチレン等から成る全長は略８００ｍｍ〜１２００ｍｍ程度、外径寸法は略２０〜３０ｍｍ程度の管体であり、一方をポンプ装置２の出水管２２と接続連通し、他端側を閉塞した構造である。給水管４の反ポンプ装置側の先端口付近にはクリップ４２を配設している。このクリップ４２は、給水管４を反ポンプ装置側から周回させてポンプ装置側の端部付近で給水管同士を固定可能としている。
【００２５】
また、給水管４は、管側壁４１に多数の漏水口４３をほぼ全長に渡ってランダムに開口させ、配設している。この漏水口４３は、給水管４の両端側から略１００ｍｍ〜２００ｍｍの区間においては、その開口径が略φ２．５ｍｍ程度であるが、上記以外の中央部付近では略φ５ｍｍ程度の開口径としてほぼ４倍の開口断面積にしている。この２種類の開口径を有する漏水口４３の配設により、給水管４を入浴者の首周りに周回させると、開口径が大きい漏水口４３が入浴者の肩から背中の部分に位置することになる。
【００２６】
さらに、給水管４の大きな漏水口４３が位置する中央部付近の側周面には、複数の突起４４をランダムに配設している。この突起４４は給水管４が入浴者の首周り周回した時に、入浴者の肌と給水管４とに間隙を形成し、漏水口４３の閉塞状態を防止している。また、漏水口４３を多数配置した給水管４の剛性確保を担い、給水管４の折れ曲がり等を防止し、湯水の散布の滞りを防止している。
【００２７】
上記のように構成した本実施例のシャワー装置１は、以下のように使用する。
まず、入浴者Ｈはポンプ装置２のフック２４に紐Ｒを通し、例えば、浴室の蛇口Ｎなどに引っ掛けて、浴槽内に吊り下げるように配置する。この吊り下げ時には、ポンプ装置２の取水部２１が浴槽内の湯水に十分浸かるように紐Ｒの長さを調整する必要がある。
【００２８】
次に、入浴者Ｈは浴槽Ｂの内部に座って半身浴の状態となると共に、給水管４を自らの首周りにある程度の余裕をもって周回して肩に載置し、反ポンプ装置側のクリップ４２をポンプ装置側の管部に係止し固定する。
【００２９】
給水管４の周回及び固定が終わると、入浴者Ｈはポンプ装置２のスイッチ２３を押し、シャワー装置１を稼動させる。シャワー装置１が稼動すると、ポンプ装置２の取水部２１では湯水の汲み上げと共にセラミックチップ３２の攪拌が起こり、マイナスイオン発生手段３から
マイナスイオンが発生する。また、ポンプ装置２から移送された湯水は、出水管２２を介して給水管４の漏水口４３から入浴者の上半身、特に肩から背中に掛けて集中的に散布されることとなり、その後は浴槽内に戻る。
【００３０】
なお、入浴者Ｈはシャワー装置１の設置及び稼動のためのスイッチ２３を押した後は、浴槽内に単に座っていれば良く、何らの労力も必要としない。
【００３１】
適宜な時間の経過後に、入浴者Ｈはスイッチ２３を押してシャワー装置１を停止し、給水管４を首周りから外して半身浴を終了させる。また、入浴者Ｈは必要により、シャワー装置１を浴槽Ｂから撤去する。
[他の実施形態の可能性]
【００３２】
本実施例のシャワー装置１は、考案の技術的思想を逸脱しない範囲で種々の形態を採用可能である。
【００３３】
まず、ポンプ装置２は、上記の実施例ではいわゆる防水型の給油ポンプを採用しているが、ポンプ部と電源部が分離した、いわゆるバスポンプを採用するようにしても良い。
【００３４】
また、上記の実施例では、給水管４の側周面に複数の突起４４をランダムに配設する構成とし、漏水口４３の閉塞防止及び給水管の折れ曲がり防止効果を得ているが、突起４４に代わり、図４（Ａ）に示すように、硬質材からなるコイル５を給水管４に環装するようにしても良い。このコイル５により突起４４を配設した場合と同等の効果を得ることが可能である。
【００３５】
さらに、給水管４の略全長に渡って布体、例えば、タオル６を懸架するように配設しても良い。このタオル６を配設すると、図４（Ｂ）に示すように、給水管４を周回した時にタオル６がスカートのようになり、入浴者の上半身がタオル６により覆われることとなる。その結果、タオル６自体の保温の効果及びタオル６にしみ込んだ湯水による保温の効果とが相俟って、上半身の体温低下の防止効果がより一層向上することとなる。
【図面の簡単な説明】
【００３６】
詳細
【図１】本実施例のシャワー装置を示す側面図である。
【図２】図１のＡＡ断面図（Ａ）及び図１のＱ部の拡大図（Ｂ）である。
【図３】本実施例のシャワー装置の使用状態を示す説明図である。
【図４】他の実施形態の給水管を示す斜視図（Ａ）、（Ｂ）である。
【符号の説明】
【００３７】
１  シャワー装置
２  ポンプ装置
２１  取水部
２２  出水管
２３  スイッチ
２４  フック
３  マイナスイオン発生手段
３１  容器
３１ａ  取水孔
３２  セラミックチップ
４  給水管
４１  管側壁
４２  クリップ
４３  漏水口
４４  突起
５  コイル
６  タオル
Ｂ  浴槽
Ｈ  入浴者
Ｎ  蛇口
Ｒ  紐
【図１】
0003110603.tif 000003
【図２】
0003110603.tif 000004
【図３】
0003110603.tif 000005
【図４】
0003110603.tif 000006
【手続補正書】
【提出日】平成17年2月2日(2005.2.2)
【手続補正１】
【補正対象書類名】明細書
【補正対象項目名】００３６
【補正方法】変更
【補正の内容】
【００３６】
【図１】本実施例のシャワー装置を示す側面図である。
【図２】図１のＡＡ断面図（Ａ）及び図１のＱ部の拡大図（Ｂ）である。
【図３】本実施例のシャワー装置の使用状態を示す説明図である。
【図４】他の実施形態の給水管を示す斜視図（Ａ）、（Ｂ）である。